(57)【要約】【課題】  槽底に残水や水垢等の汚れが溜らないよう落し込み部の底面に排水口が設けられた落し込み穴を形成し、該落し込み穴に遠隔操作式排水栓装置のレリースワイヤ作動部の支持部材を装填し、排水栓開閉の精度を確実に高めることにある。【解決手段】  槽底に形成された落し込み部の底面に排水口となる落し込み穴を設け、遠隔操作式排水栓装置のレリースワイや作動部が落し込み穴に支持されるため、放射状に伸延するアーム部を介してレリースワイヤ作動部が抱持されるリング帯と、該リング帯より垂設した弾性片に形成された掛止爪部とを設け、該掛止爪部と前記リング帯とによって、落し込み穴の排水口の口縁を挟持掛止する支持部材であって、リング帯に垂設した弾性片の外周側に設けられた掛止爪部には、その上端部に内周方向へ傾斜縮径される傾斜面を備え、該傾斜面とリング帯下端の水平な掛止面とで落し込み穴の排水口の口縁を挟持掛止する支持部材である。【選択図】図１
2010209658.tif 000002
【特許請求の範囲】
【請求項１】
槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁が挟持掛止される支持部材であって、リンク帯に垂設した弾性片の外周側に設けられた掛止爪部には、その上端部に内周方向へ傾斜縮径される傾斜面を備え、該傾斜面とリング帯下端の水平な掛止面とで落し込み穴の排水口の口縁を挟持掛止することを特徴とする支持部材。
【請求項２】
槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁が挟持掛止される支持部材であって、リング帯に、下方から平行するスリットが刻設され、該スリット間部位を弾性片とすると共に、その弾性片下端外周面に突部を形成し、リング帯の落ち込み部への装填で、配設位置調整がされることを特徴とする支持部材。
【請求項３】
槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁が挟持掛止される支持部材であって、リング帯には、その下端部位に求心方向へ突出する挿入防止がされる突起部を形成し、その上端部位に外側上方へ向いた位置調整がされる突起が形成されたことを特徴とする支持部材。
【請求項４】
アーム部の基部には、レリースワイヤ作動部を囲繞保持する支持環帯が形成されることを特徴とする請求項１乃至３のいずれか１項記載の支持部材。
【請求項５】
アーム部の基部には、排水口開閉のため排水栓を昇降するスラストロック機構のメカボックスケースが一体形成され、該メカボックスケースの内周面には、スラストロック機構の排水栓の昇降がされるコマ車を回転昇降させる内歯が設けられていることを特徴とする請求項１乃至３のいずれか１項に記載の支持部材。
【発明の詳細な説明】
【技術分野】
【０００１】  本発明は、排水栓の昇降がレリースワイヤを介して遠隔操作されて排水口を開閉する遠隔操作式排水栓装置において、レリースワイヤの排水栓側の作動部を排水口に支持させるための支持部材に係るものであって、特に、水槽の槽底に落し込み部を形成し、その落し込み部の底面に排水口が設けられた落し込み穴にレリースワイヤの排水栓側の作動部を支持させる支持部材に関するものである。
【背景技術】
【０００２】
【先行技術文献】
【特許文献】
【特許文献】  従来の遠隔操作式排水栓装置においては、排水口に排水口金具が取付けられ、該排水口金具には、排水栓及びレリースワイヤの作動部を配設し、該レリースワイヤの作動部が支持部材をもって排水口金具に支持されている。  支持部材は、排水口金具に装着されるリング状のリング部と、該リング部より求心状に延伸するアーム部と、該アーム部の求心基部にレリースワイヤの作動部を抱持する円筒状のホルダー部とで構成され、リング部には、排水口金具下端に係合固定させる係合脚部が設けられている。
そして、前記支持部材を排水口金具に設置したときには、前記リング部及びホルダー部が縮径してレリースワイヤの作動部が抜脱不可に取付けられるものである。【０００３】  支持部材は、上方から下方へ向かうほど内側へ縮径するリング部と、内周面に突出するリブの係合部を構成し、上方から下方へ切欠き部を刻設したホルダー部とでなるので、排水口金具に配置したときにリング部の外周の傾斜面上方が排水口金具内に当接して縮径し、アーム部を介してホルダー部が縮径されてレリースワイヤの作動部を抜脱不可に取付け得るものである。【０００４】  また、支持部材は、リング部に切欠き溝を構成するものである。【０００５】
【特許文献１】  特開２００７−４６２７４
【発明の概要】
【発明が解決しようとする課題】
【０００６】  水槽の排水口に排水口金具が取付けられた従来の遠隔操作式排水栓装置では、排水口金具のフランジが水槽底面に露出されており、そこに残水や水垢等の汚れが溜り、不衛生であると共に見てくれもよくなかった。そこで、排水口に残水の溜りや水垢の汚れを生じさせる原因となる排水口金具が取除かれた水槽を得ることにある。【０００７】  そこで、槽底に落ち込み部を形成し、その落し込み部の底面に排水口が設けられた落し込み穴を形成し、該落し込み穴に遠隔操作式排水栓を設置することにある。【０００８】  ところで、槽底の落し込み部は、必ずしも精度を高く成形がされているものでなく、そこで、落し込み部底面の排水口が、排水栓開閉の精度を得るため、水槽成形後に形成されている。よって、排水栓開閉の精度を確実に高めるためには、落し込み部の中心を求めて得ることでは困難さがあった。【０００９】  したがって、槽底に落し込み部を形成し、排水口金具を取除いた水槽の場合、従来の排水口金具に支持されていた支持部材を用いてレリースワイヤの排水栓側の作動部が前記落し込み部へ支持されたとしても、所詮、落し込み部の中心が定められ難いものであったので支持する排水栓に繋がるレリースワイヤの作動部の中心が求められず、落し込み部にこのような支持部材を装着した場合には、排水栓の開閉に支障を来たすことになった。【００１０】  そこで、排水口金具を取除いた落し込み穴でなる水槽における遠隔操作式排水栓装置において、確実な排水栓の開閉のための昇降がされるために、支持部材を落し込み穴の排水口の口縁に挟持掛止し、レリースワイヤの作動部が支持される支持部材を得ることにある。
【課題を解決するための手段】
【００１１】  本発明の支持部材は、槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁を挟持掛止するものであって、リング帯に垂設した弾性片の外周側に設けられた掛止爪部には、その上端部に内周方向へ傾斜縮径される傾斜面を備え、該傾斜面とリング帯下端の水平な掛止面とで落し込み穴の排水口の口縁を挟持掛止するものである。【００１２】  本発明の支持部材は、槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁を挟持掛止するものであって、リング帯に、下方から平行するスリットが刻設され、該スリット間部位を弾性片とすると共に、その弾性片下端外周面に突部を構成し、リング帯の落し込み部への装填で配設位置調整がされるものである。【００１３】  本発明の支持部材は、槽底に形成された落し込み部の底面に排水口となる落し込み穴を設け、遠隔操作式排水栓装置のレリースワイヤ作動部を前記落し込み穴に支持させるため、放射状に伸延するアーム部を介してレリースワイヤ作動部が抱持されるリング帯と、該リング帯の弾性片に形成される掛止爪部とを設け、該掛止爪部と前記リング帯とをもって前記排水口の口縁を挟持掛止するものであって、リング帯には、その下端部位に求心方向へ突出する挿入防止がされる突起部を形成し、その上端部位に外側上方へ向いた位置調整がされる突起が形成されたものである。【００１４】  本発明の支持部材は、アーム部の基部には、レリースワイヤ作動部を囲繞保持する支持環体が形成されているものである。【００１５】  本発明の支持部材は、アーム部の基部には、排水口開閉のため排水栓を昇降するスラストロック機構のメカボックスケースが一体形成され、該メカボックスケースの内周面には、スラストロック機構の排水栓の昇降がされるコマ車を回転昇降させる内歯が設けられているものである。
【発明の効果】
【００１６】  本発明の支持部材は、槽底に落し込み部が形成され、その底面に排水口を設けた落し込み穴が備えられた水槽における遠隔操作式排水栓装置にあって、そのレリースワイヤ作動部の落し込み部への装填支持が、放射状に伸延するアーム部を介してレリースワイヤ作動部が抱持されるリング帯と、該リング帯の弾性片に形成される掛止爪部とで、落し込み部底面に設けられた落し込み穴の排水口の口縁を挟持掛止することができ、排水口金具が排水口に取付けられることによって生じていた残水や水垢による汚れを解消し、その上、レリースワイヤ作動部の落し込み部への支持固定しにくかったことが、落し込み部底面に設けられた排水口の口縁を、リング帯と、その弾性片に形成された掛止爪部とをもって挟持掛止することによって、正確且つ確実な支持固定をすることができる。
そして、排水口の口縁をもって落し込み穴へ正確に位置付けされた支持部材によって、レリースワイヤ作動部に繋がる排水栓の昇降を正確に行い、開閉を確実にできる。
また、リング帯に垂設した弾性片の外周側に設けられた掛止爪部には、その上端部に傾斜面を備え、該傾斜面とリング帯下端の水平な掛止面とで落し込み穴の排水口の口縁が挟持されるので、排水口の口縁の厚さ、及び口径に多少の差異があっても、弾性片の弾力で支持部材の求心方向への力が働いて掛止爪部の傾斜面を押圧し、常に排水口の口縁を正確に挟持掛止することになり、支持部材の軸方向の動きを固定し、且つ、結果的に、周方向への動きを固定することになり、落ち込み穴への確実且つ正確な挟持掛止による固定をすることができる。【００１７】  本発明のリング帯とこれに垂設する掛止爪部とでなる支持部材は、リング帯に下方から平行するスリットの刻設で、このスリット間部位を弾性化して弾性片とすると共に、その弾性片下端に突部を構成することによって、この突部の落し込み部への押圧接触で掛止爪部による排水口の口縁の挟持掛止が一層強固且つ確実な固定にさせることができる。その上に、更に、支持部材の掛止爪部による固定を支点とする傾きが抑制されるなどの位置調整され、支持部材が傾いて排水栓の昇降による開閉に支障を来たすことがないようにでき、この懸念が解消される。【００１８】  本発明の支持部材は、リング帯の下端部位に求心方向へ突出する挿入防止突起部が形成され、清掃時での指の挿し込みを防止できる。そして、その上端部位に外側上方へ向いた位置調整突起が形成され、支持部材を排水口の口縁への挟持固定の際、排水栓の昇降による排水口の開閉がそれによって正確にできる。【００１９】  本発明の支持部材は、リング帯より求心状に伸延するアーム部を介してその基部にレリースワイヤ作動部を囲繞保持する支持環体が形成されているので、レリースワイヤ作動部が簡単且つ容易に支持部材に装填支持することができ、その上、この支持部材を押し込み穴に正確且つ確実に固定することができる。【００２０】  本発明の支持部材は、リング帯より求心状に伸延するアール部を介してその基部に排水栓の昇降をするスラストロック機構のメカボックスケースが一体形成され、そのメカボックスケースの内周面には内歯が設けられ、該内歯によるコマ車の回転で排水栓の昇降による開閉をするスラストロック機構が設けられているので、支持部材の落し込み穴への装着で、簡単且つ容易に、そして、正確且つ確実に排水栓の昇降開閉操作をすることができるように設置できる。
【図面の簡単な説明】
【００２１】
【図１】  支持部材が槽底に形成された落し込み穴に挟持掛止された状態図である。
【図２】  レリースワイヤ作動部のための支持環帯が形成された支持部材の一部断面側面図である。
【図３】  支持環帯が形成された支持部材の上面図である。
【図４】  スラストロック機構の内歯を内周面に設けたメカボックスケースが一体形成された支持部材の一部断面側面図である。
【図５】  メカボックスケースが一体形成された支持部材の上面図である。
【図６】  メカボックスケースが一体形成された支持部材の下面図である。
【図７】  メカボックスケースが一体形成された支持部材の断面図である。
【図８】  リング帯の上端部位に外側上方へ向いた位置調整突起が形成された支持部材の断面図である。
【図９】  リング帯の上端部位に外側上方へ向いた位置調整突起が形成された支持部材の上面図である。
【図１０】  リング帯の上端部位に外側上方へ向いた位置調整突起が形成された支持部材の側面図である。
【発明を実施するための形態】
【００２２】  本発明の支持部材は、水槽の槽底に残水や水垢の汚れが生じることを防止するため、落し込み部を形成し、その落し込み部の底面に排水口が設けられた落し込み穴に、排水栓の昇降がレリースワイヤを介して遠隔操作される排水口の開閉をする遠隔操作式排水栓装置におけるレリースワイヤの排水栓側の作動部を支持させるために取付ける支持部材に関するものである。
【実施例１】
【００２３】  本発明の実施例１におけるレリースワイヤ作動部を水槽の落し込み穴に取付けるためのその支持部材は、図１に示す如く、水槽の槽底ｓに落し込み部ｔを形成し、該落し込み部の底面ｔ１に排水口ｕが設けられた落し込み穴ｗに取付けるものである。該落し込み穴にレリースワイヤを介して排水栓の昇降が遠隔操作されるそのレリースワイヤの作動部を支持する支持部材ａが取付けられる。【００２４】  支持部材ａは、図２、図３に示す如く、レリースワイヤの作動部を放射状に伸延するアーム部２を介して抱持するリング帯１と、排水口ｕの口縁をリング帯１下端の水平な掛止面１１とで挟持掛止する掛止爪部３とによってなる。【００２５】  掛止爪部３は、リング帯１に垂設した弾性片１２の外周側下方に形成し、該掛止爪部の上端部に内周方向へ傾斜縮径される傾斜面３１を備え、該傾斜面とリング帯１下端の水平な掛止面１１とで排水口の口縁を挟持掛止するものである。【００２６】  リング帯１には、下方から平行するスリット１３が刻設され、該スリット間部位１４を弾性化すると共に、その下端外周面に突部４が構成され、該突部を落し込み部ｔへ押圧接触させ、リング帯１の落し込み部ｔへの配設位置調整がされる。【００２７】  アーム部２の基部には、レリースワイヤ作動部を囲繞する支持環体５が形成され、該支持環体下方にスリット部５１を刻設し、支持環体５で囲繞したレリースワイヤ作動部が挟持される。【００２８】  支持環体５でレリースワイヤ作動部が囲繞挟持された支持部材ａは、槽底ｓの落し込み穴ｗへ装填され、掛止爪部３が排水口ｕの口縁により弾性片１２をもって絞られ、排水口ｕの口縁を貫挿後、弾性片１２の弾性で拡げられて、掛止爪部３の上端部の傾斜面３１とリング帯１の下端の水平な掛止面１１とで排水口ｕの口縁を挟持掛止する。
落し込み部底面ｔ１には、芯だしをして設けられた排水口ｕである故に、落し込み穴ｗに支持部材ａが、正確且つ確実に取付けできることになる。
よって、レリースワイヤ作動部に繋がる排水栓の昇降を正確に行うことができることになる。
また、リング帯１には、下方から平行したスリット１３の刻設で、その間に形成した弾性化する部位１４の下端外周面に突部４が構成され、この弾性化した突部４によって落し込み部へのその押圧接触されることになって、一応、掛止爪部３とリング帯１下端の掛止面１１とで排水口ｕ口縁を挟持掛止するものの、この部分を支点としての傾きが生じることにもなりかねなく、よって、この突起４によって、この傾きが抑制されるなどの位置調整をすることになる。
【実施例２】
【００２９】  本発明の実施例２における支持部材ｂは、図４、図５、図６、及び図７に示す如く（実施例１と同一形態のものには符号を共用する）、遠隔操作式排水栓装置において、確実な排水栓の開閉のための昇降がされるように、水槽の落し込み穴の排水口の口縁を挟持掛止させて取付けられるものである。
支持部材ｂは、落し込み穴にレリースワイヤ作動部を支持して取付けるために落ち込み部へ装填される放射状に伸延するアーム部２を介して抱持するリング帯１と、該リング帯より垂設した弾性片１２の外周側に形成された掛止爪部３とでなり、該掛止爪部の上端部には傾斜面３１を形成し、該傾斜面とリング帯１下端の掛止面１１とで排水口の口縁を挟持掛止する。【００３０】  リング帯１には、下方から平行するスリット１３が刻設され、該スリット間部位１４の下端外周面に突部４が形成され、この突部４による落し込み部への押圧接触で、落し込み穴へのリング帯１の装填の位置を抑制調整することができる。【００３１】  アーム部２の基部には、排水口開閉のため排水栓を昇降するスラストロック機構のメカボックスケース７が一体形成され、該メカボックスケース７の内周面にはスラストロック機構の内歯７１が設けられている。レリースワイヤの操作で内歯７１によるコマ車（図示されず）が回転し、内歯７１とコマ車とによるスラストロック機構で排水栓の昇降がされ、排水栓を正確且つ確実に開閉することができる。
【実施例３】
【００３２】  本発明の実施例３における支持部材ｃは、図８、図９、及び図１０に示す如く、水槽の落し込み穴の排水口の口縁を挟持掛止するレリースワイヤ作動部が支持されるものである。
支持部材ｃには、落し込み穴にレリースワイヤ作動部を支持して取付けるために落し込み部へ装填される放射状に伸延するアーム部２１を介して抱持するリング帯８と、該リング帯より垂下する弾性片１２の外周側に形成された掛止爪部３とでなり、排水口の口縁を挟持掛止する。【００３３】  リング帯８には、下端部位に求心方向へ突出する挿入防止突起部４１を形成し、清掃時に指が排水口内へ挿し入れられないよう防止し、上端部位に外側上方へ向いた位置調整突起４２が形成されて、支持部材ｃが排水口の口縁への挟持固定された際、排水栓による排水口開閉の確実な昇降ができるように位置調整される芯だしに寄与する。
【符号の説明】
【００３４】ａ      支持部材
ｂ      支持部材
ｃ      支持部材
ｓ      槽底
ｔ      落し込み部
ｔ１    底面
ｕ      排水口
ｗ      落し込み穴
１      リング帯
１１    掛止面
１２    弾性片
１３    スリット
１４    スリット間部位
２      アーム部
２１    アーム部
３      掛止爪部
３１    傾斜面
４      突部
４１    挿入防止突起部
４２    位置調整突起
５      支持環帯
５１    スリット部
７      メカボックスケース
７１    内歯
８      リング帯
【図１】
2010209658.tif 000003
【図２】
2010209658.tif 000004
【図３】
2010209658.tif 000005
【図４】
2010209658.tif 000006
【図５】
2010209658.tif 000007
【図６】
2010209658.tif 000008
【図７】
2010209658.tif 000009
【図８】
2010209658.tif 000010
【図９】
2010209658.tif 000011
【図１０】
2010209658.tif 000012